(57)【特許請求の範囲】
【請求項１】
サーバからのプッシュサービスをうけるために、中継ノードを中継点とし終端ノードで終端される論理回線であるＰＤＰ（Ｐａｃｋｅｔ Ｄａｔａ Ｐｒｏｔｏｃｏｌ）コンテキストが常時接続とされたモバイル携帯端末であって、
前記モバイル携帯端末の圏内から圏外への変化点で計時を開始し、前記中継ノードが具備する、圏外となったモバイル端末との呼を解放するまでの時間を計時するタイマのタイム値よりも計時時間を短く設定された計時手段と、
前記計時手段により前記計時時間を計時するまでに前記モバイル携帯端末が圏内に移動しなかった場合に、前記ＰＤＰコンテキストの再確立を行なうＰＤＰコンテキストマネジメントと、
を有することを特徴とするモバイル携帯端末。
【請求項２】
前記ＰＤＰコンテキストマネジメントは、自端末のパワーオン時の前記ＰＤＰコンテキストの確立処理と、
圏外から圏内へと戻った際に、前記タイム値がフルとなっている場合に行う前記ＰＤＰコンテキストの再確立処理と、
圏外から圏内へと戻った際に、前記タイム値がフルとなっていない場合に行う前記ＰＤＰコンテキストを保持する処理と、
前記ネットワーク側からの前記ＰＤＰコンテキスト非稼働要求の受信時において前記ＰＤＰコンテキストの再確立処理と、
を少なくとも行なう機能を含むことを特徴とする請求項１記載のモバイル携帯端末。
【請求項３】
前記ＰＤＰコンテキストは、ＭＴＦ（Ｍｏｂｉｌｅ Ｔｅｒｍｉｎａｔｉｏｎ Ｆｕｎｃｔｉｏｎ）で終端されるエアネットワークの論理セッションであることを特徴とする請求項１または２記載のモバイル携帯端末。
【請求項４】
サーバからのプッシュサービスをうけるために、中継ノードを中継点とし終端ノードで終端される論理回線であるＰＤＰ（Ｐａｃｋｅｔ Ｄａｔａ Ｐｒｏｔｏｃｏｌ）コンテキストが常時接続とされたモバイル携帯端末の常時オン状態のＰＤＰコンテキスト管理方法であって、
前記中継ノードが具備する、圏外となったモバイル端末との呼を解放するまでの時間を計時するタイマのタイムアウト以前に前記モバイル携帯端末が圏内に移動しなかった場合に、前記ＰＤＰコンテキストの再確立を行なうことを特徴とする常時オン状態のＰＤＰコンテキスト管理方法。
【請求項５】
前記モバイル携帯端末のパワーオン時の前記ＰＤＰコンテキストの確立処理と、
圏外から圏内へと戻った際に、前記タイム値がフルとなっている場合に行う前記ＰＤＰコンテキストの再確立処理と、
圏外から圏内へと戻った際に、前記タイム値がフルとなっていない場合に行う前記ＰＤＰコンテキストを保持する処理と、
前記ネットワーク側からの前記ＰＤＰコンテキスト非稼働要求の受信時において前記ＰＤＰコンテキストの再確立処理と、
を少なくとも行なうようにしたことを特徴とする請求項４記載の常時オン状態のＰＤＰコンテキスト管理方法。
【請求項６】
前記ＰＤＰコンテキストは、ＭＴＦ（Ｍｏｂｉｌｅ Ｔｅｒｍｉｎａｔｉｏｎ Ｆｕｎｃｔｉｏｎ）で終端されるエアネットワークの論理セッションであることを特徴とする請求項４または５記載の常時オン状態のＰＤＰコンテキスト管理方法。
【発明の詳細な説明】
【０００１】
【発明の属する技術分野】
本発明はモバイル携帯端末及びそれに用いる常時オン状態のＰＤＰコンテキスト管理方法に関し、特に携帯端末装置におけるプッシュサービスに関する。
【０００２】
【従来の技術】
近年、携帯端末においては、ゲーム、画像、企業情報、オンラインマガジン等のインターネットを利用した各種情報の配送サービスが盛んになってきている。
【０００３】
これらの情報の配信には、３ＧＰＰ（３ｒｄ  Ｇｅｎｅｒａｔｉｏｎ  Ｐａｒｔｎｅｒｓｈｉｐ  Ｐｒｏｊｅｃｔ）で定義される“常時、ＩＰ（Ｉｎｔｅｒｎｅｔ  Ｐｒｏｔｏｃｏｌ）アドレスを保持していて、いつでもデータ配信可能な状態で保持されるＰｒｅｓｅｒｖｅｄ  ＰＤＰ（Ｐａｃｋｅｔ  Ｄａｔａ  Ｐｒｏｔｏｃｏｌ）ｃｏｎｔｅｘ”を利用したプッシュ（Ｐｕｓｈ）サービスが利用される。
【０００４】
上記のプッシュサービスは、プッシュサーバからコンテンツ（データ）を自動送付するサービスで、常時オン状態（Ｐｒｅｓｅｒｖａｔｉｏｎ状態）のＰＤＰコンテキスト（Ｐｒｅｓｅｒｖｅｄ  ＰＤＰ  ｃｏｎｔｅｘｔ）［エア（Ａｉｒ）ネットワークの論理セッション］を使用している。
【０００５】
つまり、携帯端末装置とＧＧＳＮ［Ｇａｔｅｗａｙ  ＧＰＲＳ（Ｇｅｎｅｒａｌ  Ｐａｃｋｅｔ  Ｒａｄｉｏ  Ｓｅｒｖｉｃｅ）Ｓｕｐｐｏｒｔｉｎｇ  Ｎｏｄｅ］との間に常時オン状態のＰＤＰコンテキストが確立されていれば、ＧＧＳＮでは携帯端末装置に割り当てられたＩＰアドレスを保持することが可能であるため、その携帯端末装置のＩＰアドレスに対して、ＧＧＳＮを経由してプッシュデータを送付することができる。
【０００６】
【発明が解決しようとする課題】
しかしながら、無線通信を利用した携帯端末装置においては、サービス圏外に出てしまった場合、あるいは無線状態の悪い場所に移動した場合等、頻繁にスケルチ断が発生し、常時オン状態のＰＤＰコンテキストを容易に保持することができる環境ではない。
【０００７】
本発明は上記事情に鑑みてなされたものであり、プッシュデータ不達を回避すると共に、常時オン状態のＰＤＰコンテキストの無駄な張り直しを回避することができるモバイル携帯端末及びそれに用いる常時オン状態のＰＤＰコンテキスト管理方法を提供することを目的とする。
【０００８】
【課題を解決するための手段】
係る目的を達成するために請求項１記載の発明は、サーバからのプッシュサービスをうけるために、中継ノードを中継点とし終端ノードで終端される論理回線であるＰＤＰ（Ｐａｃｋｅｔ  Ｄａｔａ  Ｐｒｏｔｏｃｏｌ）コンテキストが常時接続とされたモバイル携帯端末であって、モバイル携帯端末の圏内から圏外への変化点で計時を開始し、中継ノードが具備する、圏外となったモバイル端末との呼を解放するまでの時間を計時するタイマのタイム値よりも計時時間を短く設定された計時手段と、計時手段により計時時間を計時するまでにモバイル携帯端末が圏内に移動しなかった場合に、ＰＤＰコンテキストの再確立を行なうＰＤＰコンテキストマネジメントと、を有することを特徴とする。
【０００９】
請求項２記載の発明は、請求項１記載の発明において、ＰＤＰコンテキストマネジメントは、自端末のパワーオン時のＰＤＰコンテキストの確立処理と、圏外から圏内へと戻った際に、前記タイム値がフルとなっている場合に行う前記ＰＤＰコンテキストの再確立処理と、圏外から圏内へと戻った際に、前記タイム値がフルとなっていない場合に行う前記ＰＤＰコンテキストを保持する処理と、前記ネットワーク側からの前記ＰＤＰコンテキスト非稼働要求の受信時において前記ＰＤＰコンテキストの再確立処理と、を少なくとも行なう機能を含むことを特徴とする。
【００１０】
請求項３記載の発明は、請求項１または２記載の発明において、ＰＤＰコンテキストは、ＭＴＦ（Ｍｏｂｉｌｅ  Ｔｅｒｍｉｎａｔｉｏｎ  Ｆｕｎｃｔｉｏｎ）で終端されるエアネットワークの論理セッションであることを特徴とする。
【００１１】
請求項４記載の発明は、サーバからのプッシュサービスをうけるために、中継ノードを中継点とし終端ノードで終端される論理回線であるＰＤＰ（Ｐａｃｋｅｔ  Ｄａｔａ  Ｐｒｏｔｏｃｏｌ）コンテキストが常時接続とされたモバイル携帯端末の常時オン状態のＰＤＰコンテキスト管理方法であって、中継ノードが具備する、圏外となったモバイル端末との呼を解放するまでの時間を計時するタイマのタイムアウト以前にモバイル携帯端末が圏内に移動しなかった場合に、ＰＤＰコンテキストの再確立を行なうことを特徴とする。
【００１２】
請求項５記載の発明は、請求項４記載の発明において、モバイル携帯端末のパワーオン時のＰＤＰコンテキストの確立処理と、圏外から圏内へと戻った際に、前記タイム値がフルとなっている場合に行う前記ＰＤＰコンテキストの再確立処理と、圏外から圏内へと戻った際に、前記タイム値がフルとなっていない場合に行う前記ＰＤＰコンテキストを保持する処理と、前記ネットワーク側からの前記ＰＤＰコンテキスト非稼働要求の受信時において前記ＰＤＰコンテキストの再確立処理と、を少なくとも行なうようにしたことを特徴とする。
【００１３】
請求項６記載の発明は、請求項４または５記載の発明において、ＰＤＰコンテキストは、ＭＴＦ（Ｍｏｂｉｌｅ  Ｔｅｒｍｉｎａｔｉｏｎ  Ｆｕｎｃｔｉｏｎ）で終端されるエアネットワークの論理セッションであることを特徴とする。
【００１４】
【発明の実施の形態】
次に、本発明のモバイル携帯端末及びそれに用いる常時オン状態のＰＤＰコンテキスト管理方法に係る実施の形態を詳細に説明する。図１〜図５を参照すると本発明のモバイル携帯端末及びそれに用いる常時オン状態のＰＤＰコンテキスト管理方法に係る実施の形態が示されている。
【００１５】
図１は本発明に係るモバイル携帯端末の構成を示すブロック図である。図１において、モバイル携帯端末１は、アプリケーションソフトウェア［以下、ＡＰ（＃１）、ＡＰ（＃２）とする］１１、１２と、プッシュ（Ｐｕｓｈ）データ処理アプリケーションソフトウェア（以下、ＰＤＡＰとする）１３と、ＴＣＰ（Ｔｒａｎｓｍｉｓｓｉｏｎ  Ｃｏｎｔｒｏｌ  Ｐｒｏｔｏｃｏｌ）／ＩＰ（Ｉｎｔｅｒｎｅｔ  Ｐｒｏｔｏｃｏｌ）／ＩＣＭＰ（Ｉｎｔｅｒｎｅｔ  ＣｏｎｔｒｏｌＭｅｓｓａｇｅ  Ｐｒｏｔｏｃｏｌ）１４と、ＴＡＦ（Ｔｅｒｍｉｎａｌ  Ａｄａｐｔａｉｏｎ  Ｆｕｎｃｔｉｏｎ）１５と、ＭＴＦ（Ｍｏｂｉｌｅ  Ｔｅｒｍｉｎａｔｉｏｎ  Ｆｕｎｃｔｉｏｎ）１６と、ＰＤＰコンテキストマネジメント（ＰＤＰ−ＭＮＧ：Ｐａｃｋｅｔ  ｄａｔａ  Ｐｒｏｔｏｃｏｌ−Ｍａｎａｇｅｍｅｎｔ）１７とから構成されている。
【００１６】
ＡＰ（＃１）１１及びＡＰ（＃２）１２はブラウザ（Ｂｒｏｗｓｅｒ）やＪａｖａ（Ｒ）、及び電子メール（Ｍａｉｌ）等のアプリケーションソフトウェアである。ＰＤＡＰ１３はバックグラウンドで常時稼働してプッシュデータを待ち受けるアプリケーションソフトウェアである。
【００１７】
モバイル携帯端末１においては、ＭＴＦ１６で終端される常時オン状態のＰＤＰコンテキスト（Ｐｒｅｓｅｒｖｅｄ  ＰＤＰ  ｃｏｎｔｅｘｔ）から受信したプッシュデータがＴＡＦ１５でＴＣＰ／ＩＰ／ＩＣＰＭ１４に転送されてプロトコル処理され、ＰＤＡＰ１３に配信される。
【００１８】
ＰＤＰコンテキストマネジメント１７は、モバイル携帯端末１のパワーオン時の常時オン状態のＰＤＰコンテキスト確立をはじめとし、少なくとも、長時間のスケルチ断（圏外）、ネットワーク側からのＰＤＰコンテキスト非稼働（Ｄｅａｃｔｉｖａｔｅ）要求受信があった場合とを想定した常時オン状態のＰＤＰコンテキストの再確立処理ロジックを有し、ネットワーク側とモバイル携帯端末１側とにおいてＰＭＭ（Ｐａｃｋｅｔ  Ｍｏｂｉｌｉｔｙ  Ｍａｎａｇｅｍｅｎｔ）及びＰＤＰの状態の認識不一致が発生した場合のプッシュデータの不達を解消することができる。また、ＰＤＰコンテキストマネジメント１７は、時間を計時するタイマを具備している。
【００１９】
ここで、プッシュサービスはプッシュサーバからコンテンツ（データ）を自動送付するサービスで、常時オン状態のＰＤＰコンテキスト［エア（Ａｉｒ）ネットワークの論理セッション］を使用している。
【００２０】
すなわち、モバイル携帯端末１とＧＧＳＮ［Ｇａｔｅｗａｙ  ＧＰＲＳ（Ｇｅｎｅｒａｌ  Ｐａｃｋｅｔ  Ｒａｄｉｏ  Ｓｅｒｖｉｃｅ）Ｓｕｐｐｏｒｔｉｎｇ  Ｎｏｄｅ］との間に常時オン状態のＰＤＰコンテキストが確立されていれば、ＧＧＳＮでは携帯端末装置に割り当てられたＩＰ（Ｉｎｔｅｒｎｅｔ  Ｐｒｏｔｏｃｏｌ）アドレスを保持することが可能であるため、モバイル携帯端末１のＩＰアドレスに対して、ＧＧＳＮを経由してプッシュデータを送付することができる。
【００２１】
図２は本発明の一実施例における適用対象のネットワークの一例を示す図である。図２において、モバイル携帯端末１は中継ノード［ＳＧＳＮ：Ｓｅｒｖｉｎｇ  ＧＰＲＳ  Ｓｕｐｐｏｒｔｉｎｇ  Ｎｏｄｅ］２を中継されて終端ノード（ＧＧＳＮ）３で終端される論理回線であるＰＤＰコンテキスト１０１、１０２を使用して、インターネット［Ｅｘｔｅｒｎａｌ  Ｎｅｔｗｏｒｋ（Ｉｎｔｅｒｎｅｔ  Ｘ）］１００に置かれたＪａｖａ（Ｒ）コンテンツサーバ［Ｊａｖａ（Ｒ）Ｃｏｎｔｅｎｔ  Ｓｅｒｖｅｒ］４、ウェブサーバ（Ｗｅｂ  Ｓｅｒｖｅｒ）５、ＭＭＳ（Ｍｕｌｔｉ  Ｍｅｄｉａ  Ｓｅｒｖｉｃｅ）サーバ（ＭＭＳ  Ｓｅｒｖｅｒ）６等の各種サーバにアクセスしたり、プッシュコンテンツサーバ（Ｐｕｓｈ  Ｃｏｎｔｅｎｔ  Ｓｅｒｖｅｒ）７からのプッシュデータを受け取る。
【００２２】
常時オン状態のＰＤＰコンテキストは、常時接続のため、通常、常時オン状態のＰＤＰコンテキスト１０１として確立する。プッシュデータに適したＱｏＳ（Ｑｕａｌｉｔｙ  ｏｆ  Ｓｅｒｖｉｃｅｓ：サービス品質）レベル［バックグラウンド（Ｂａｃｋｇｒｏｕｎｄ）あるいはインタラクティブ（Ｉｎｔｅｒａｃｔｉｖｅ）トラヒッククラス］を常時オン状態のＰＤＰコンテキストに適用するため、それと異なるＱｏＳレベルを必要とするようなアプリケーション、例えば動画配信のようなストリーミング（Ｓｔｅａｍｉｎｇ）トラヒッククラスのトラヒックには、別途、セカンダリィ（Ｓｅｃｏｎｄａｒｙ）ＰＤＰコンテキスト１０２を確立する。
【００２３】
図３は、本発明の一実施例においてＰＤＰコンテキストがアクティブ（Ａｃｔｉｖｅ：稼働）な状態でのスケルチ断を示す図である。図３においては、モバイル携帯端末１がＲＮＣ（基地局制御装置）８及び中継ノード（ＳＧＳＮ）２を介して終端ノード（ＧＧＳＮ）３に接続されている時に、トンネル内でスケルチ断（圏外）となった状態を示している。
【００２４】
図４は本発明の一実施例においてＰＭＭステートとＰＤＰステートとの組み合わせ状態遷移を示す図である。図４において、“ＰＭＭ呼解放（Ｄｅｔａｃｈ）＆ＰＤＰインアクティブ（Ｉｎａｃｔｉｖｅ）”状態２１は、位置登録なしで、ＰＤＰコンテキストが確立されていない状態である。
【００２５】
また、“ＰＭＭアイドル（Ｉｄｌｅ）＆ＰＤＰインアクティブ”状態２２は、位置登録済みだが、まだ呼が発生していないためにＲＲＣ（Ｒａｄｉｏ  Ｒｅｓｏｕｒｃｅ  Ｃｏｎｔｒｏｌ）コネクションも、ＰＤＰコンテキストも確立されていない状態である。
【００２６】
さらに、“ＰＭＭコネクト（Ｃｏｎｎｅｃｔｅｄ）＆ＰＤＰアクティブ（Ａｃｔｉｖｅ）”状態２４はＲＲＣコネクション確立済みで、ＰＤＰコンテキストが確立され、パケットデータ送受信中の状態である。
【００２７】
さらにまた、“ＰＭＭアイドル＆ＰＤＰアクティブ”状態２４は、長期間、パケットデータが発生しなかったため、ＲＲＣコネクションが切断されたが、ＰＤＰコンテキストが確立継続している状態である。
【００２８】
ここで、本発明の一実施例の構成の一つである適用ネットワークの動作の前提について説明する。
【００２９】
中継ノード２及び終端ノード３は、３ＧＰＰ（３ｒｄ  Ｇｅｎｅｒａｉｏｎ  Ｐｅｒｔｎｅｒｓｈｉｐ  Ｐｒｏｊｅｃｔ）標準に則り、ＰＤＰコンテキストがアクティブな状態でスケルチ断（例えば、図３に示す状態）を検出したとしても、即座にＰＤＰコンテキストを非稼働状態にすることはない。
【００３０】
常時オン状態（Ｐｒｅｓｅｒｖａｔｉｏｎ状態）、すなわち、“ＰＭＭアイドル＆ＰＤＰアクティブ”状態２３では、スケルチ断を契機に、中継ノード２にて周期的ルーティングエリアアップデートタイマ（Ｐｅｒｉｏｄｉｃ  Ｒｏｕｔｉｎｇ  Ａｒｅａ  Ｕｐｄａｔｅ  ｔｉｍｅｒ）［デフォルト（Ｄｅｆａｕｌｔ）５４分］が起動されるため、タイマ値よりも長い時間、圏外になる場合には呼解放され、“ＰＭＭ呼解放＆ＰＤＰインアクティブ”状態２１にシフトダウンする。
【００３１】
この状態では、ＰＤＰコンテキスト解放によってプッシュコンテンツサーバ７が保持していたＩＰアドレスがクリアされるため、プッシュデータは送付不可能である。
【００３２】
常時オン状態、つまり、“ＰＭＭアイドル＆ＰＤＰアクティブ”状態２３から“ＰＭＭコネクト＆ＰＤＰアクティブ”状態２４へのシフトアップは、モバイル携帯端末１からのデータ発信に伴うページング［ルーティングエリア（ＲＡ：Ｒｏｕｔｉｎｇ  Ａｒｅａ）は知っているため］＆ＲＲＣコネクション確立によって可能となる。
【００３３】
仮に、中継ノード２及び終端ノード３がＰＤＰコンテキストを保持している状態で、モバイル携帯端末１からＰＤＰコンテキストのアクティブ要求を出せば、中継ノード２は既存のＰＤＰコンテキストを解放した上で、ＰＤＰコンテキストの再確立を行なう。このとき、モバイル携帯端末１のＩＰアドレスが新たに決定され、プッシュコンテンツサーバ７の持つモバイル携帯端末１のＩＰアドレスが更新されてしまう。
【００３４】
次に図５を参照して図１のＰＤＰコンテキストマネジメント１７の動作について説明する。
【００３５】
モバイル携帯端末１の電源投入時に、ＰＤＰコンテキストマネジメント１７は、パワーオンからパワーオフ時に発信するデータがなくとも、圏内であれば、ＰＤＰコンテキストのアクティブ要求をネットワーク側に出すようにＴＡＦ１５に要求する。
【００３６】
ネットワーク［中継ノード（ＳＧＳＮ）２／終端ノード（ＧＧＳＮ）３］からのＰＤＰコンテキストの非稼働状態通知を受信すると、ＰＤＰコンテキストマネジメント１７は、ＰＤＰコンテキストのアクティブ要求（再確立要求）をネットワーク側に出すようにＴＡＦ１５に要求する。
【００３７】
図５に示すように、ＰＤＰコンテキストマネジメント１７は、圏内から圏外の変化を検知すると、タイマをスタートさせる。タイマは、モバイル携帯端末が圏内に戻ったときや電源ｏｆｆの時のみクリアできる。圏内に戻った時にタイマがフルの場合は、ＰＤＰコンテキストのアクティブ要求（再確立要求）をネットワーク側に出すようにＴＡＦ１５に要求する。
【００３８】
タイマフルは、ネットワーク側が“ＰＭＭ呼解放（Ｄｅｔａｃｈ）＆ＰＤＰインアクティブ（Ｉｎａｃｔｉｖｅ）状態にシフトダウンしたことを意味し、プッシュデータの発送が不可能な状態である。モバイル携帯端末１は、圏内に戻ったらＲＲＣコネクションを確立し、再度ＰＤＰコンテキストのアクティブ要求（再確立要求）をネットワーク側に出すようにＴＡＦ１５に要求する。なお、このタイマ値は、中継ノード２にて起動される周期的ルーティングエリアアップデートタイマ（Ｐｅｒｉｏｄｉｃ  Ｒｏｕｔｉｎｇ  Ａｒｅａ  Ｕｐｄａｔｅ  ｔｉｍｅｒ）［デフォルト（Ｄｅｆａｕｌｔ）５４分］値よりも小さめに設定しておく必要がある。
【００３９】
モバイル携帯端末１は、圏外に移った場合でもＰＤＰコンテキストの情報は保持し、圏内に戻ったときにタイマがフルでなければ、そのＰＤＰコンテキストを継続して使用する。
【００４０】
このように上述した実施形態は、モバイル携帯端末１の圏内から圏外への変化点で起動し、周期的ルーティングエリアアップデートタイマのタイマ値よりもタイムアウトを小さく設定したタイマのタイムアウトを前提に、常時オン状態のＰＤＰコンテキスト（Ｐｒｅｓｅｒｖｅｄ  ＰＤＰ  ｃｏｎｔｅｘｔ）の再確立を行なうため、ＩＰアドレスの変更を伴うような無駄なＰＤＰコンテキストの張り直しが発生しない。そのため常時オン状態のＰＤＰコンテキスト確立時に決定してプッシュコンテンツサーバに保持されるモバイル携帯端末１のＩＰアドレスは無意味に更新されることがなく、ＩＰアドレス不一致によるプッシュデータの誤送を防止することができる。
【００４１】
なお、上述した実施形態は本発明の好適な実施の形態である。但し、これに限定されるものではなく本発明の要旨を逸脱しない範囲内において種々変形実施が可能である。
【００４２】
【発明の効果】
以上の説明より明らかなように本発明は、モバイル携帯端末１の圏内から圏外への変化点で起動し、中継ノードが具備するタイマ値よりもタイムアウトを小さく設定したタイマのタイムアウトを前提に、常時オン状態のＰＤＰコンテキストの再確立を行なうため、ＩＰアドレスの変更を伴うような無駄なＰＤＰコンテキストの張り直しが発生しない。そのため常時オン状態のＰＤＰコンテキスト確立時に決定してプッシュコンテンツサーバに保持されるモバイル携帯端末１のＩＰアドレスは無意味に更新されることがなく、ＩＰアドレス不一致によるプッシュデータの誤送を防止することができる。
【図面の簡単な説明】
【図１】本発明の一実施例によるモバイル携帯端末の構成を表すブロック図である。
【図２】本発明の一実施例における適用対象ネットワークの一例を示す図である。
【図３】本発明の一実施例においてＰＤＰコンテキストがアクティブな状態でのスケルチ断を示す図である。
【図４】本発明の一実施例においてＰＭＭステートとＰＤＰステートとの組み合わせ遷移を示す図である。
【図５】タイマの動作を説明するための図である。
【符号の説明】
１  モバイル携帯端末
２  中継ノード
３  終端ノード
４  Ｊａｖａ（Ｒ）コンテンツサーバ
５  ウェブサーバ
６  ＭＭＳサーバ
７  プッシュコンテンツサーバ
１１、１２  アプリケーションソフトウェア
１３  プッシュデータ処理アプリケーションソフトウェア
１４  ＴＣＰ／ＩＰ／ＩＣＭＰ
１５  ＴＡＦ
１６  ＭＴＦ
１７  ＰＤＰコンテキストマネジメント
【図１】
0004186480.tif 000002
【図２】
0004186480.tif 000003
【図３】
0004186480.tif 000004
【図４】
0004186480.tif 000005
【図５】
0004186480.tif 000006